(57)【特許請求の範囲】
【請求項１】
固定枠部（１）と、幅調整用スぺーサ部（２）と、第１内方枠部（３）とから構成され、
固定枠部（１）は、内方枠設置ボックス（１Ａ）と前後の縦壁（１Ｂ、１Ｂ）から構成され、内方枠設置ボックス（１Ａ）は、コンクリート床（１Ａ１）上に所定深さをもって平面方形の平板状に刻設されたくぼみ（１Ａ２）と、くぼみ（１Ａ２）の左右壁に上方に向け形成された傾斜面（１Ａ３）と、くぼみの底面に敷設されたマット（１Ａ４）から構成され、前後の縦壁（１Ｂ、１Ｂ）は正面方形に構成され、内方枠設置ボックス（１Ａ）における前後辺に起立状態で固定され、
幅調整用スぺーサ部（２）は、適数個のスぺーサ（２Ａ、２Ａ．．）で構成され、各スぺーサ（２Ａ）はくさび状に構成され、内方枠設置ボックス（１Ａ）内に起立状態で配設された左右の仮枠単体（３Ａ１）の水平面（３Ａ１２）の外方端面と、内方枠設置ボックス（１Ａ）のくぼみ（１Ａ２）における左右壁との間に上方から着脱自在に嵌着され、
第１内方枠部（３）は、仮枠本体（３Ａ）と、小口用仮枠部（３Ｂ）から構成され、
仮枠本体（３Ａ）は、左右の仮枠単体（３Ａ１、３Ａ１）と、幅調整用ボルト部（３Ａ２）からなり、左の仮枠単体（３Ａ１）は、立上がり壁（３Ａ１１）と、立上がり壁の下端に左方に向け連設された水平面（３Ａ１２）と、左の仮枠単体（３Ａ１）の立上がり壁の頂面に植設された第１アイボルト（３Ａ１３）と、立上がり壁の左面に上下位置をもって植設された上下のアイボルト（３Ａ１４、３Ａ１５）から構成され、右の仮枠単体（３Ａ１）は、立上がり壁（３Ａ１１）と、立上がり壁の下端に右方に向け連設された水平面（３Ａ１２）と、右の仮枠単体（３Ａ１）の立上がり壁の頂面に植設された第１アイボルト（３Ａ１３）と、立上がり壁の右面に上下位置をもって植設された上下のアイボルト（３Ａ１４、３Ａ１５）から構成され、さらに、幅調整用ボルト部（３Ａ２）は、左右の仮枠単体（３Ａ１、３Ａ１）の上端近傍に左右方向をもって開設された適数個のボルト穴（３Ａ２１、３Ａ２１．．）と、これらボルト穴に貫入される幅調整ボルト（３Ａ２２、３Ａ２２．．）から構成され、
小口用仮枠部（３Ｂ）は、前後の小口第１仮枠（３Ｂ１、３Ｂ１）と、前後の締付け具（３Ｂ２、３Ｂ２）から構成され、前後の小口第１仮枠（３Ｂ１、３Ｂ１）は、内方枠設置ボックス（１Ａ）内に起立状態で配置された左右の仮枠単体（３Ａ１、３Ａ１）の前後端面に当接される縦板（３Ｂ１１、３Ｂ１１）で構成され、前後の締付け具（３Ｂ２）は、ターンバックルの構成により伸縮するよう構成され、前の締付け具（３Ｂ２）は、前の小口第１仮枠（３Ｂ１）と前の縦壁（１Ｂ）との間に配設され、後の締付け具（３Ｂ２）は、後の小口第１仮枠（３Ｂ１）と後の縦壁（１Ｂ）との間に配設されていることを特徴とする建築用のプレキャスト・コンクリート部材の製造用仮枠。
【請求項２】
固定枠部（１）と、左右の幅調整用スぺーサ部（２）と、第２内方枠部（４）から構成され、
固定枠部（１）は、内方枠設置ボックス（１Ａ）と前後の縦壁（１Ｂ、１Ｂ）から構成され、内方枠設置ボックス（１Ａ）は、コンクリート床（１Ａ１）上に所定深さをもって平面方形の平板状に刻設されたくぼみ（１Ａ２）と、くぼみ（１Ａ２）の左右壁に上方に向け形成された傾斜面（１Ａ３）と、くぼみの底面に敷設されたマット（１Ａ４）から構成され、前後の縦壁（１Ｂ、１Ｂ）は正面方形に構成され、内方枠設置ボックス（１Ａ）における前後辺に起立状態で固定され、
幅調整用スぺーサ部（２）は、適数個のスぺーサ（２Ａ、２Ａ．．）で構成され、各スぺーサ（２Ａ）はくさび状に構成され、内方枠設置ボックス（１Ａ）内に起立状態で配設された左右の仮枠単体（３Ａ１）の水平面（３Ａ１２）の外方端面と、内方枠設置ボックス（１Ａ）のくぼみ（１Ａ２）における左右壁との間に上方から着脱自在に嵌着され、
第２内方枠部（４）は、仮枠本体（４Ａ）と、第２小口用仮枠部（４Ｂ）から構成され、
仮枠本体（４Ａ）は、左右の仮枠単体（４Ａ１、４Ａ１）と、幅調整用ボルト部（４Ａ２）からなり、左の仮枠単体（４Ａ１）は、立上がり壁（４Ａ１１）と、立上がり壁の下端に左方に向け連設された水平面（４Ａ１２）と、左の仮枠単体（４Ａ１）の立上がり壁の頂面に植設された第１アイボルト（４Ａ１３）と、立上がり壁の左面に上下位置をもって植設された上下のアイボルト（４Ａ１４、４Ａ１５）から構成され、右の仮枠単体（４Ａ１）は、立上がり壁（４Ａ１１）と、立上がり壁の下端に右方に向け連設された水平面（４Ａ１２）と、右の仮枠単体（４Ａ１）の立上がり壁の頂面に植設された第１アイボルト（４Ａ１３）と、立上がり壁の右面に上下位置をもって植設された上下のアイボルト（４Ａ１４、４Ａ１５）から構成され、さらに、幅調整用ボルト部（４Ａ２）は、左右の仮枠単体（４Ａ１、４Ａ１）の上端近傍に左右方向をもって開設された適数個のボルト穴（４Ａ２１、４Ａ２１．．）と、これらボルト穴に貫入される幅調整ボルト（４Ａ２２、４Ａ２２．．）から構成され、
第２小口用仮枠部（４Ｂ）は、前後の小口第２仮枠（４Ｂ１、４Ｂ１）と、前後の締付け具（４Ｂ２、４Ｂ２）から構成され、前後の小口第２仮枠（４Ｂ１、４Ｂ１）は縦板状に構成され、内方枠設置ボックス（１Ａ）内に起立状態で配置された左右の仮枠単体（４Ａ１、４Ａ１）の前後端部分において、当該左右の仮枠単体（４Ａ１、４Ａ１）で挟まれた状態で前後方向に移動自在に構成され、前後の締付け具（４Ｂ２）は、ターンバックルの構成により伸縮するよう構成され、前の締付け具（４Ｂ２）は、前の小口第２仮枠（４Ｂ１）と前の縦壁（１Ｂ）との間に配設され、後の締付け具（４Ｂ２）は、後の小口第２仮枠（４Ｂ１）と後の縦壁（１Ｂ）との間に配設されていることを特徴とする建築用のプレキャスト・コンクリート部材の製造用仮枠。
【請求項３】
固定枠部（５）と、フーチング幅調整用スぺーサ部（６）と、幅調整用スぺーサ部（７）と、第１内方枠部（８）から構成され、
固定枠部（５）は、内方枠設置ボックス（５Ａ）と前後の縦壁（５Ｂ、５Ｂ）から構成され、内方枠設置ボックス（５Ａ）は、フーチング用ボックス（５Ａ１）と内方枠部受け（５Ａ２）から構成され、フーチング用ボックス（５Ａ１）は、コンクリート床（５Ａ３）上に所定深さをもって平面方形の平板状に刻設されたくぼみ（５Ａ１１）と、このくぼみの左右壁に上方に向け形成された傾斜面（５Ａ１２）と、くぼみの底面に敷設されたマット（５Ａ１３）から構成され、また、内方枠部受け（５Ａ２）は、フーチング用ボックスにおける傾斜面（５Ａ１２）に左右方向に連設された所定寸法の左右の水平面（５Ａ２１）と、この左右の水平面の先端に連設された上方に向けた傾斜面（５Ａ２２）から構成され、前後の縦壁（５Ｂ、５Ｂ）は正面方形に構成され、内方枠設置ボックス（５Ａ）における前後辺に起立状態で固定され、
フーチング幅調整用スぺーサ部（６）は、左右のスぺーサ（６Ａ、６Ａ）で構成され、各スぺーサ（６Ａ）は横角柱状に構成され、フーチング用ボックス（５Ａ１）内における左右の傾斜面（５Ａ１２）に沿って上方から着脱自在に嵌着され、この各スぺーサ（６Ａ）の高さ（Ｈ１）は、フーチング用ボックスの深さと同一に構成され、
幅調整用スぺーサ部（７）は、適数個のスぺーサ（７Ａ、７Ａ．．）で構成され、各スぺーサ（７Ａ）はくさび状に構成され、内方枠設置ボックス（５Ａ）内においてフーチング幅調整用スぺーサ部（６）の上面に起立状態で配設された左右の仮枠単体（８Ａ１）のフーチング形成用水平面（８Ａ１２）の外方端面と、内方枠部受け（５Ａ２）の傾斜面（５Ａ２２）との間に上方から着脱自在に嵌着され、
第１内方枠部（８）は、仮枠本体（８Ａ）と、小口用仮枠部（８Ｂ）から構成され、
仮枠本体（８Ａ）は、左右の仮枠単体（８Ａ１、８Ａ１）と、幅調整用ボルト（８Ａ２）からなり、左の仮枠単体（８Ａ１）は、立上がり壁（８Ａ１１）と、立上がり壁の下端に左方に向け連設されたフーチング形成用水平面（８Ａ１２）と左の仮枠単体（８Ａ１）の立上がり壁の頂面に植設された第１アイボルト（８Ａ１３）と、立上がり壁の左面に上下位置をもって植設された上下のアイボルト（８Ａ１４、８Ａ１５）から構成され、右の仮枠単体（８Ａ１）は、立上がり壁（８Ａ１１）と、立上がり壁の下端に右方に向け連設されたフーチング形成用水平面（８Ａ１２）と、右の仮枠単体（８Ａ１）の立上がり壁の頂面に植設された第１アイボルト（８Ａ１３）と、立上がり壁の右面に上下位置をもって植設された上下のアイボルト（８Ａ１４、８Ａ１５）から構成され、さらに、幅調整用ボルト部（８Ａ２）は、左右の仮枠単体（８Ａ１、８Ａ１）の上端近傍に左右方向をもって開設された適数個のボルト穴（８Ａ２１、８Ａ２１．．）と、これらボルト穴に貫入される幅調整ボルト（８Ａ２２、８Ａ２２．．）から構成され、
小口用仮枠部（８Ｂ）は、前後の小口第１仮枠（８Ｂ１、８Ｂ１）と、前後の締付け具（８Ｂ２、８Ｂ２）から構成され、前後の小口第１仮枠（８Ｂ１）は、内方枠設置ボックス（５Ａ）内に起立状態で配置された左右の仮枠単体（８Ａ１）の前後端面に当接される縦板（８Ｂ１１、８Ｂ１１）で構成され、この縦板（８Ｂ１１）の下辺には、内方枠設置ボックスのくぼみ（５Ａ１１）に上方から嵌合する突出部（Ｔ）が形成され、前後の締付け具（８Ｂ２）は、ターンバックルの構成により伸縮するよう構成され、前の締付け具（８Ｂ２）は、前の小口第１仮枠（８Ｂ１）と前の縦壁（５Ｂ）との間に配設され、後の締付け具（８Ｂ２）は、後の小口第１仮枠（８Ｂ１）と後の縦壁（５Ｂ）との間に配設されていることを特徴とする建築用のプレキャスト・コンクリート部材の製造用仮枠。
【請求項４】
固定枠部（５）と、フーチング幅調整用スぺーサ部（６）と、幅調整用スぺーサ部（７）と、第２内方枠部（９）から構成され、
固定枠部（５）は、内方枠設置ボックス（５Ａ）と前後の縦壁（５Ｂ、５Ｂ）から構成され、内方枠設置ボックス（５Ａ）は、フーチング用ボックス（５Ａ１）と内方枠部受け（５Ａ２）から構成され、フーチング用ボックス（５Ａ１）は、コンクリート床（５Ａ３）上に所定深さをもって平面方形の平板状に刻設されたくぼみ（５Ａ１１）と、このくぼみの左右壁に上方に向け形成された傾斜面（５Ａ１２）と、くぼみの底面に敷設されたマット（５Ａ１３）から構成され、また、内方枠部受け（５Ａ２）は、フーチング用ボックスにおける傾斜面（５Ａ１２）に左右方向に連設された所定寸法の左右の水平面（５Ａ２１）と、この左右の水平面の先端に連設された上方に向けた傾斜面（５Ａ２２）から構成され、前後の縦壁（５Ｂ、５Ｂ）は正面方形に構成され、内方枠設置ボックス（５Ａ）における前後辺に起立状態で固定され、
フーチング幅調整用スぺーサ部（６）は、左右のスぺーサ（６Ａ、６Ａ）で構成され、各スぺーサ（６Ａ）は横角柱状に構成され、フーチング用ボックス（５Ａ１）内における左右の傾斜面（５Ａ１２）に沿って上方から着脱自在に嵌着され、この各スぺーサ（６Ａ）の高さ（Ｈ１）は、フーチング用ボックスの深さと同一に構成され、
幅調整用スぺーサ部（７）は、適数個のスぺーサ（７Ａ、７Ａ．．）で構成され、各スぺーサ（７Ａ）はくさび状に構成され、内方枠設置ボックス（５Ａ）内においてフーチング幅調整用スぺーサ部（６）の上面に起立状態で配設された左右の仮枠単体（８Ａ１）のフーチング形成用水平面（８Ａ１２）の外方端面と、内方枠部受け（５Ａ２）の傾斜面（５Ａ２２）との間に上方から着脱自在に嵌着され、
第２内方枠部（９）は、仮枠本体（９Ａ）と、小口用仮枠部（９Ｂ）から構成され、
仮枠本体（９Ａ）は、左右の仮枠単体（９Ａ１、９Ａ１）と、幅調整用ボルト部（９Ａ２）からなり、左の仮枠単体（９Ａ１）は、立上がり壁（９Ａ１１）と、立上がり壁の下端に左方に向け連設されたフーチング形成用水平面（９Ａ１２）と、左の仮枠単体（９Ａ１）の立上がり壁の頂面に植設された第１アイボルト（９Ａ１３）と、立上がり壁の左面に上下位置をもって植設された上下のアイボルト（９Ａ１４、９Ａ１５）から構成され、右の仮枠単体（９Ａ１）は、立上がり壁（９Ａ１１）と、立上がり壁の下端に右方に向け連設されたフーチング形成用水平面（９Ａ１２）と、右の仮枠単体（９Ａ１）の立上がり壁の頂面に植設された第１アイボルト（９Ａ１３）と、立上がり壁の右面に上下位置をもって植設された上下のアイボルト（９Ａ１４、９Ａ１５）から構成され、さらに、幅調整用ボルト部（９Ａ２）は、左右の仮枠単体（９Ａ１、９Ａ１）の上端近傍に左右方向をもって開設された適数個のボルト穴（９Ａ２１、９Ａ２１．．）と、これらボルト穴に貫入される幅調整ボルト（９Ａ２２、９Ａ２２．．）から構成され、
小口用仮枠部（９Ｂ）は、前後の小口第１仮枠（９Ｂ１、９Ｂ１）と、前後の締付け具（９Ｂ２、９Ｂ２）から構成され、小口第１仮枠（９Ｂ１）は、正面横長方形の下方板（９Ｂ１１）と下方板の上辺中央に起立連設された正面縦長の縦板（９Ｂ１２）から構成され、内方枠設置ボックス（５Ａ）内に起立状態で配置された左右の仮枠単体（９Ａ１）の前後端部分において当該左右の仮枠単体（９Ａ１）で挟まれた状態で前後方向に移動自在に構成され、前後の締付け具（９Ｂ２）は、ターンバックルの構成により伸縮するよう構成され、前の締付け具（９Ｂ２）は、前の小口第１仮枠（９Ｂ１）と前の縦壁（５Ｂ）との間に配設され、後の締付け具（９Ｂ２）は、後の小口第１仮枠（９Ｂ１）と後の縦壁（５Ｂ）との間に配設されていることを特徴とする建築用のプレキャスト・コンクリート部材の製造用仮枠。
【請求項５】
請求項１記載の建築用のプレキャスト・コンクリート部材の製造用仮枠（イ）を用いて下記の各工程から構成されていることを特徴とする建築用のプレキャスト・コンクリート部材の製造方法。
第１工程
固定枠部（１）の内方枠設置ボックス（１Ａ）に第１内方枠部（３）を起立状態で設置し、第１内方枠部（３）に幅調整用スぺーサ部（２）を装置したのち、第１内方枠部（３）を装置する。
第２工程
第１内方枠部（３）で囲まれた部分に鉄筋を組上げ、コンクリートを注入する。
第３工程
コンクリート注入後、養生期間を経て、幅調整用スぺーサ部（２）と小口用仮枠部（３Ｂ）を取外す。
第４工程
第１内方枠部（３）を上下のアイボルトに連結したワイヤ（Ｙ）を外方に向け引っ張り、コンクリートの製品と引き離す。
こののち、第１アイボルトに連結したワイヤ（Ｙ１）で吊上げ、他の場所に移す。
第５工程
コンクリートの製品を引上げ、一般床上に置いた後、現場に搬入する。
【請求項６】
請求項２記載の建築用のプレキャスト・コンクリート部材の製造用仮枠（イ１）を用いて下記の各工程から構成されていることを特徴とする建築用のプレキャスト・コンクリート部材の製造方法。
第１工程
固定枠部（１）の内方枠設置ボックス（１Ａ）に第２内方枠部（４）を起立状態で設置し、第２内方枠部（４）に幅調整用スぺーサ部（２）を装置したのち、第２内方枠部（４）を装置し、当該第２内方枠部における第２小口用仮枠部（４Ｂ）を進退調整する。
第２工程
第２内方枠部（４）で囲まれた部分に鉄筋を組上げ、コンクリートを注入する。
第３工程
コンクリート注入後、養生期間を経て、幅調整用スぺーサ部（２）と第２小口用仮枠部（４Ｂ）を取外す。
第４工程
第２内方枠部（４）を上下のアイボルトに連結したワイヤ（Ｙ）を外方に向け引っ張り、コンクリートの製品と引き離す。
こののち、第１アイボルトに連結したワイヤ（Ｙ１）で吊上げ、他の場所に移す。
第５工程
コンクリートの製品を引上げ、一般床上に置いた後、現場に搬入する。
【請求項７】
請求項３記載の建築用のプレキャスト・コンクリート部材の製造用仮枠（ロ）を用いて下記の各工程から構成されていることを特徴とする建築用のプレキャスト・コンクリート部材の製造方法。
第１工程
固定枠部（１）の内方枠設置ボックス（５Ａ）に第１内方枠部（３）を起立状態で設置し、第１内方枠部（８）に幅調整用スぺーサ部（６）を装置したのち、第１内方枠部（８）を装置する。
第２工程
第１内方枠部（８）で囲まれた部分に鉄筋を組上げ、コンクリートを注入する。
第３工程
コンクリート注入後、養生期間を経て、幅調整用スぺーサ部（６）と小口用仮枠部（８Ｂ）を取外す。
第４工程
第１内方枠部（８）を上下のアイボルトに連結したワイヤ（Ｙ）を外方に向け引っ張り、コンクリートの製品と引き離す。
こののち、第１アイボルトに連結したワイヤ（Ｙ１）で吊上げ、他の場所に移す。
第５工程
コンクリートの製品を引上げ、一般床上に置いた後、現場に搬入する。
【請求項８】
請求項４記載の建築用のプレキャスト・コンクリート部材の製造用仮枠（ロ１）を用いて下記の各工程から構成されていることを特徴とする建築用のプレキャスト・コンクリート部材の製造方法。
第１工程
固定枠部（５）の内方枠設置ボックス（５Ａ）に第２内方枠部（９）を起立状態で設置し、第２内方枠部（９）に幅調整用スぺーサ部（６）を装置したのち、第２内方枠部（９）を装置し、当該第２内方枠部（９）における小口用仮枠部（９Ｂ）を進退調整する。
第２工程
第２内方枠部（９）で囲まれた部分に鉄筋を組上げ、コンクリートを注入する。
第３工程
コンクリート注入後、養生期間を経て、幅調整用スぺーサ部（６）と小口用仮枠部（９Ｂ）を取外す。
第４工程
第２内方枠部（９）を上下のアイボルトに連結したワイヤ（Ｙ）を外方に向け引っ張り、コンクリートの製品と引き離す。
こののち、第１アイボルトに連結したワイヤ（Ｙ１）で吊上げ、他の場所に移す。
第５工程
コンクリートの製品を引上げ、一般床上に置いた後、現場に搬入する。
【発明の詳細な説明】
【０００１】
【発明の属する技術分野】
本発明は、新規な構成を有する建築用のプレキャスト・コンクリート（ＰＣａ）部材の製造用仮枠と建築用のプレキャスト・コンクリート部材の製造方法に関するものである。
特に、下記の諸点に適したものである。
１．壁材、梁材の製造の場合。
２．基礎材の製造の場合。
【０００２】
【従来の技術】
従来、コンクリート２次製品工場内に於いて建築のプレキャスト・コンクリート（ＰＣ  ａ）部材を製作するに際し、仮枠材または仮枠を固定するための金具を多数使用している。
【０００３】
【発明が解決しようとする課題】
従来の技術で述べたものにあっては、下記のような問題点を有していた。
１．仮枠を固定するための金具及び各機材の保管管理は非常に煩わしいものである。
２．取付作業は、この場合、機材金物等を組合わせする必要があり、その作業に相当の人手を掛け、製品が出来上がった後の洗浄等もあり、場所も広く必要とする。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、固定枠部１と、幅調整用スぺーサ部２と、第１内方枠部３とから構成され、
Ａ．固定枠部１は、内方枠設置ボックス１Ａと前後の縦壁１Ｂ、１Ｂから構成され、内方枠設置ボックス１Ａは、コンクリート床１Ａ１上に所定深さをもって平面方形の平板状に刻設されたくぼみ１Ａ２と、くぼみ１Ａ２の左右壁に上方に向け形成された傾斜面１Ａ３と、くぼみの底面に敷設されたマット１Ａ４から構成され、前後の縦壁１Ｂ、１Ｂは正面方形に構成され、内方枠設置ボックス１Ａにおける前後辺に起立状態で固定され、
Ｂ．幅調整用スぺーサ部２は、適数個のスぺーサ２Ａ、２Ａ．．で構成され、各スぺーサ２Ａはくさび状に構成され、内方枠設置ボックス１Ａ内に起立状態で配設された左右の仮枠単体３Ａ１の水平面３Ａ１２の外方端面と、内方枠設置ボックス１Ａのくぼみ１Ａ２における左右壁との間に上方から着脱自在に嵌着され、
Ｃ．第１内方枠部３は、仮枠本体３Ａと、小口用仮枠部３Ｂから構成され、
ａ．仮枠本体３Ａは、左右の仮枠単体３Ａ１、３Ａ１と、幅調整用ボルト部３Ａ２からなり、左の仮枠単体３Ａ１は、立上がり壁３Ａ１１と、立上がり壁の下端に左方に向け連設された水平面３Ａ１２と、左の仮枠単体３Ａ１の立上がり壁の頂面に植設された第１アイボルト３Ａ１３と、立上がり壁の左面に上下位置をもって植設された上下のアイボルト３Ａ１４、３Ａ１５から構成され、右の仮枠単体３Ａ１は、立上がり壁３Ａ１１と、立上がり壁の下端に右方に向け連設された水平面３Ａ１２と、右の仮枠単体３Ａ１の立上がり壁の頂面に植設された第１アイボルト３Ａ１３と、立上がり壁の右面に上下位置をもって植設された上下のアイボルト３Ａ１４、３Ａ１５から構成され、さらに、幅調整用ボルト部３Ａ２は、左右の仮枠単体３Ａ１、３Ａ１の上端近傍に左右方向をもって開設された適数個のボルト穴３Ａ２１、３Ａ２１．．と、これらボルト穴に貫入される幅調整ボルト３Ａ２２、３Ａ２２．．から構成され、
ｂ．小口用仮枠部３Ｂは、前後の小口第１仮枠３Ｂ１、３Ｂ１と、前後の締付け具３Ｂ２、３Ｂ２から構成され、前後の小口第１仮枠３Ｂ１、３Ｂ１は、内方枠設置ボックス１Ａ内に起立状態で配置された左右の仮枠単体３Ａ１、３Ａ１の前後端面に当接される縦板３Ｂ１１、３Ｂ１１で構成され、前後の締付け具３Ｂ２は、例えばターンバックルの構成により伸縮するよう構成され、前の締付け具３Ｂ２は、前の小口第１仮枠３Ｂ１と前の縦壁１Ｂとの間に配設され、後の締付け具３Ｂ２は、後の小口第１仮枠３Ｂ１と後の縦壁１Ｂとの間に配設されていることを特徴とする。
【０００６】
請求項２記載の発明は、固定枠部１と、左右の幅調整用スぺーサ部２と、第２内方枠部４から構成され、
Ａ．固定枠部１は、内方枠設置ボックス１Ａと前後の縦壁１Ｂ、１Ｂから構成され、内方枠設置ボックス１Ａは、コンクリート床１Ａ１上に所定深さをもって平面方形の平板状に刻設されたくぼみ１Ａ２と、くぼみ１Ａ２の左右壁に上方に向け形成された傾斜面１Ａ３と、くぼみの底面に敷設されたマット１Ａ４から構成され、前後の縦壁１Ｂ、１Ｂは正面方形に構成され、内方枠設置ボックス１Ａにおける前後辺に起立状態で固定され、
Ｂ．幅調整用スぺーサ部２は、適数個のスぺーサ２Ａ、２Ａ．．で構成され、各スぺーサ２Ａはくさび状に構成され、内方枠設置ボックス１Ａ内に起立状態で配設された左右の仮枠単体３Ａ１の水平面３Ａ１２の外方端面と、内方枠設置ボックス１Ａのくぼみ１Ａ２における左右壁との間に上方から着脱自在に嵌着され、
Ｃ．第２内方枠部４は、仮枠本体４Ａと、第２小口用仮枠部４Ｂから構成され、
ａ．仮枠本体４Ａは、左右の仮枠単体４Ａ１、４Ａ１と、幅調整用ボルト部４Ａ２からなり、左の仮枠単体４Ａ１は、立上がり壁４Ａ１１と、立上がり壁の下端に左方に向け連設された水平面４Ａ１２と、左の仮枠単体４Ａ１の立上がり壁の頂面に植設された第１アイボルト４Ａ１３と、立上がり壁の左面に上下位置をもって植設された上下のアイボルト４Ａ１４、４Ａ１５から構成され、右の仮枠単体４Ａ１は、立上がり壁４Ａ１１と、立上がり壁の下端に右方に向け連設された水平面４Ａ１２と、右の仮枠単体４Ａ１の立上がり壁の頂面に植設された第１アイボルト４Ａ１３と、立上がり壁の右面に上下位置をもって植設された上下のアイボルト４Ａ１４、４Ａ１５から構成され、さらに、幅調整用ボルト部４Ａ２は、左右の仮枠単体４Ａ１、４Ａ１の上端近傍に左右方向をもって開設された適数個のボルト穴４Ａ２１、４Ａ２１．．と、これらボルト穴に貫入される幅調整ボルト４Ａ２２、４Ａ２２．．から構成され、
ｂ．第２小口用仮枠部４Ｂは、前後の小口第２仮枠４Ｂ１、４Ｂ１と、前後の締付け具４Ｂ２、４Ｂ２から構成され、前後の小口第２仮枠４Ｂ１、４Ｂ１は縦板状に構成され、内方枠設置ボックス１Ａ内に起立状態で配置された左右の仮枠単体４Ａ１、４Ａ１の前後端部分において、当該左右の仮枠単体４Ａ１、４Ａ１で挟まれた状態で前後方向に移動自在に構成され、前後の締付け具４Ｂ２は、例えばターンバックルの構成により伸縮するよう構成され、前の締付け具４Ｂ２は、前の小口第２仮枠４Ｂ１と前の縦壁１Ｂとの間に配設され、後の締付け具４Ｂ２は、後の小口第２仮枠４Ｂ１と後の縦壁１Ｂとの間に配設されていることを特徴とする。
【０００７】
請求項３記載の発明は、固定枠部５と、フーチング幅調整用スぺーサ部６と、幅調整用スぺーサ部７と、第１内方枠部８から構成され、
Ａ．固定枠部５は、内方枠設置ボックス５Ａと前後の縦壁５Ｂ、５Ｂから構成され、内方枠設置ボックス５Ａは、フーチング用ボックス５Ａ１と内方枠部受け５Ａ２から構成され、フーチング用ボックス５Ａ１は、コンクリート床５Ａ３上に所定深さをもって平面方形の平板状に刻設されたくぼみ５Ａ１１と、このくぼみの左右壁に上方に向け形成された傾斜面５Ａ１２と、くぼみの底面に敷設されたマット５Ａ１３から構成され、また、内方枠部受け５Ａ２は、フーチング用ボックスにおける傾斜面５Ａ１２に左右方向に連設された所定寸法の左右の水平面５Ａ２１と、この左右の水平面の先端に連設された上方に向けた傾斜面５Ａ２２から構成され、前後の縦壁５Ｂ、５Ｂは正面方形に構成され、内方枠設置ボックス５Ａにおける前後辺に起立状態で固定され、
Ｂ．フーチング幅調整用スぺーサ部６は、左右のスぺーサ６Ａ、６Ａで構成され、各スぺーサ６Ａは横角柱状に構成され、フーチング用ボックス５Ａ１内における左右の傾斜面５Ａ１２に沿って上方から着脱自在に嵌着され、この各スぺーサ６Ａの高さＨ１は、フーチング用ボックスの深さと同一に構成され、
Ｃ．幅調整用スぺーサ部７は、適数個のスぺーサ７Ａ、７Ａ．．で構成され、各スぺーサ７Ａはくさび状に構成され、内方枠設置ボックス５Ａ内においてフーチング幅調整用スぺーサ部６の上面に起立状態で配設された左右の仮枠単体８Ａ１のフーチング形成用水平面８Ａ１２の外方端面と、内方枠部受け５Ａ２の傾斜面５Ａ２２との間に上方から着脱自在に嵌着され、
Ｄ．第１内方枠部８は、仮枠本体８Ａと、小口用仮枠部８Ｂから構成され、
ａ．仮枠本体８Ａは、左右の仮枠単体８Ａ１、８Ａ１と、幅調整用ボルト８Ａ２からなり、左の仮枠単体８Ａ１は、立上がり壁８Ａ１１と、立上がり壁の下端に左方に向け連設されたフーチング形成用水平面８Ａ１２と左の仮枠単体８Ａ１の立上がり壁の頂面に植設された第１アイボルト８Ａ１３と、立上がり壁の左面に上下位置をもって植設された上下のアイボルト８Ａ１４、８Ａ１５から構成され、右の仮枠単体８Ａ１は、立上がり壁８Ａ１１と、立上がり壁の下端に右方に向け連設されたフーチング形成用水平面８Ａ１２と、右の仮枠単体８Ａ１の立上がり壁の頂面に植設された第１アイボルト８Ａ１３と、立上がり壁の右面に上下位置をもって植設された上下のアイボルト８Ａ１４、８Ａ１５から構成され、さらに、幅調整用ボルト部８Ａ２は、左右の仮枠単体８Ａ１、８Ａ１の上端近傍に左右方向をもって開設された適数個のボルト穴８Ａ２１、８Ａ２１．．と、これらボルト穴に貫入される幅調整ボルト８Ａ２２、８Ａ２２．．から構成され、
ｂ．小口用仮枠部８Ｂは、前後の小口第１仮枠８Ｂ１、８Ｂ１と、前後の締付け具８Ｂ２、８Ｂ２から構成され、前後の小口第１仮枠８Ｂ１は、内方枠設置ボックス５Ａ内に起立状態で配置された左右の仮枠単体８Ａ１の前後端面に当接される縦板８Ｂ１１、８Ｂ１１で構成され、この縦板８Ｂ１１の下辺には、内方枠設置ボックスのくぼみ５Ａ１１に上方から嵌合する突出部Ｔが形成され、前後の締付け具８Ｂ２は、例えばターンバックルの構成により伸縮するよう構成され、前の締付け具８Ｂ２は、前の小口第１仮枠８Ｂ１と前の縦壁５Ｂとの間に配設され、後の締付け具８Ｂ２は、後の小口第１仮枠８Ｂ１と後の縦壁５Ｂとの間に配設されていることを特徴とする。
【０００８】
請求項４記載の発明は、固定枠部５と、フーチング幅調整用スぺーサ部６と、幅調整用スぺーサ部７と、第２内方枠部９から構成され、
Ａ．固定枠部５は、内方枠設置ボックス５Ａと前後の縦壁５Ｂ、５Ｂから構成され、内方枠設置ボックス５Ａは、フーチング用ボックス５Ａ１と内方枠部受け５Ａ２から構成され、フーチング用ボックス５Ａ１は、コンクリート床５Ａ３上に所定深さをもって平面方形の平板状に刻設されたくぼみ５Ａ１１と、このくぼみの左右壁に上方に向け形成された傾斜面５Ａ１２と、くぼみの底面に敷設されたマット５Ａ１３から構成され、また、内方枠部受け５Ａ２は、フーチング用ボックスにおける傾斜面５Ａ１２に左右方向に連設された所定寸法の左右の水平面５Ａ２１と、この左右の水平面の先端に連設された上方に向けた傾斜面５Ａ２２から構成され、前後の縦壁５Ｂ、５Ｂは正面方形に構成され、内方枠設置ボックス５Ａにおける前後辺に起立状態で固定され、
Ｂ．フーチング幅調整用スぺーサ部６は、左右のスぺーサ６Ａ、６Ａで構成され、各スぺーサ６Ａは横角柱状に構成され、フーチング用ボックス５Ａ１内における左右の傾斜面５Ａ１２に沿って上方から着脱自在に嵌着され、この各スぺーサ６Ａの高さＨ１は、フーチング用ボックスの深さと同一に構成され、
Ｃ．幅調整用スぺーサ部７は、適数個のスぺーサ７Ａ、７Ａ．．で構成され、各スぺーサ７Ａはくさび状に構成され、内方枠設置ボックス５Ａ内においてフーチング幅調整用スぺーサ部６の上面に起立状態で配設された左右の仮枠単体８Ａ１のフーチング形成用水平面８Ａ１２の外方端面と、内方枠部受け５Ａ２の傾斜面５Ａ２２との間に上方から着脱自在に嵌着され、
Ｄ．第２内方枠部９は、仮枠本体９Ａと、小口用仮枠部９Ｂから構成され、
ａ．仮枠本体９Ａは、左右の仮枠単体９Ａ１、９Ａ１と、幅調整用ボルト部９Ａ２からなり、左の仮枠単体９Ａ１は、立上がり壁９Ａ１１と、立上がり壁の下端に左方に向け連設されたフーチング形成用水平面９Ａ１２と、左の仮枠単体９Ａ１の立上がり壁の頂面に植設された第１アイボルト９Ａ１３と、立上がり壁の左面に上下位置をもって植設された上下のアイボルト９Ａ１４、９Ａ１５から構成され、右の仮枠単体９Ａ１は、立上がり壁９Ａ１１と、立上がり壁の下端に右方に向け連設されたフーチング形成用水平面９Ａ１２と、右の仮枠単体９Ａ１の立上がり壁の頂面に植設された第１アイボルト９Ａ１３と、立上がり壁の右面に上下位置をもって植設された上下のアイボルト９Ａ１４、９Ａ１５から構成され、さらに、幅調整用ボルト部９Ａ２は、左右の仮枠単体９Ａ１、９Ａ１の上端近傍に左右方向をもって開設された適数個のボルト穴９Ａ２１、９Ａ２１．．と、これらボルト穴に貫入される幅調整ボルト９Ａ２２、９Ａ２２．．から構成され、
ｂ．小口用仮枠部９Ｂは、前後の小口第１仮枠９Ｂ１、９Ｂ１と、前後の締付け具９Ｂ２、９Ｂ２から構成され、小口第１仮枠９Ｂ１は、正面横長方形の下方板９Ｂ１１と下方板の上辺中央に起立連設された正面縦長の縦板９Ｂ１２から構成され、内方枠設置ボックス５Ａ内に起立状態で配置された左右の仮枠単体９Ａ１の前後端部分において当該左右の仮枠単体９Ａ１で挟まれた状態で前後方向に移動自在に構成され、前後の締付け具９Ｂ２は、例えばターンバックルの構成により伸縮するよう構成され、前の締付け具９Ｂ２は、前の小口第１仮枠９Ｂ１と前の縦壁５Ｂとの間に配設され、後の締付け具９Ｂ２は、後の小口第１仮枠９Ｂ１と後の縦壁５Ｂとの間に配設されていることを特徴とする。
【０００９】
請求項５記載の発明は、請求項１記載の発明を用いて下記の各工程から構成されていることを特徴とする。
第１工程
固定枠部１の内方枠設置ボックス１Ａに第１内方枠部３を起立状態で設置し、第１内方枠部３に幅調整用スぺーサ部２を装置したのち、第１内方枠部３を装置する。
第２工程
第１内方枠部３で囲まれた部分に鉄筋を組上げ、コンクリートを注入する。
第３工程
コンクリート注入後、養生期間を経て、幅調整用スぺーサ部２と小口用仮枠部３Ｂを取外す。
第４工程
第１内方枠部３を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの製品を引上げ、一般床上に置いた後、現場に搬入する。
【００１０】
請求項６記載の発明は、請求項２記載の発明を用いて下記の各工程から構成されていることを特徴とする。
第１工程
固定枠部１の内方枠設置ボックス１Ａに第２内方枠部４を起立状態で設置し、第２内方枠部４に幅調整用スぺーサ部２を装置したのち、第２内方枠部４を装置し、当該第２内方枠部における第２小口用仮枠部４Ｂを進退調整する。
第２工程
第２内方枠部４で囲まれた部分に鉄筋を組上げ、コンクリートを注入する。
第３工程
コンクリート注入後、養生期間を経て、幅調整用スぺーサ部２と第２小口用仮枠部４Ｂを取外す。
第４工程
第２内方枠部４を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの製品を引上げ、一般床上に置いた後、現場に搬入する。
【００１１】
請求項７記載の発明は、請求項３記載の発明を用いて下記の各工程から構成されていることを特徴とする。
第１工程
固定枠部１の内方枠設置ボックス５Ａに第１内方枠部３を起立状態で設置し、第１内方枠部８に幅調整用スぺーサ部６を装置したのち、第１内方枠部８を装置する。
第２工程
第１内方枠部８で囲まれた部分に鉄筋を組上げ、コンクリートを注入する。
第３工程
コンクリート注入後、養生期間を経て、幅調整用スぺーサ部６と小口用仮枠部８Ｂを取外す。
第４工程
第１内方枠部８を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの製品を引上げ、一般床上に置いた後、現場に搬入する。
【００１２】
請求項８記載の発明は、請求項４記載の発明を用いて下記の各工程から構成されていることを特徴とする。
第１工程
固定枠部５の内方枠設置ボックス５Ａに第２内方枠部９を起立状態で設置し、第２内方枠部９に幅調整用スぺーサ部６を装置したのち、第２内方枠部９を装置し、当該第２内方枠部９における小口用仮枠部９Ｂを進退調整する。
第２工程
第２内方枠部９で囲まれた部分に鉄筋を組上げ、コンクリートを注入する。
第３工程
コンクリート注入後、養生期間を経て、幅調整用スぺーサ部６と小口用仮枠部９Ｂを取外す。
第４工程
第２内方枠部９を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの製品を引上げ、一般床上に置いた後、現場に搬入する。
【００１３】
【発明の実施の形態】
以下、本発明の実施の形態を実施例にもとづき図面を参照して説明する。
第１発明について
イは第１発明の建築用のプレキャスト・コンクリート部材の製造用仮枠で、固定枠部１と、幅調整用スぺーサ部２と、第１内方枠部３とから構成されている。
Ａ．固定枠部１は、内方枠設置ボックス１Ａと前後の縦壁１Ｂ、１Ｂから構成されている。
ａ．内方枠設置ボックス１Ａは、コンクリート床１Ａ１上に所定深さをもって平面方形の平板状に刻設されたくぼみ１Ａ２と、くぼみ１Ａ２の左右壁に上方に向け形成された傾斜面１Ａ３と、くぼみの底面に敷設されたマット１Ａ４から構成されている。
ｂ．前後の縦壁１Ｂ、１Ｂは正面方形に構成され、内方枠設置ボックス１Ａにおける前後辺に起立状態で固定されている。
【００１４】
Ｂ．幅調整用スぺーサ部２は、適数個のスぺーサ２Ａ、２Ａ．．で構成され、各スぺーサ２Ａはくさび状に構成され、内方枠設置ボックス１Ａ内に起立状態で配設された左右の仮枠単体３Ａ１の水平面３Ａ１２の外方端面と、内方枠設置ボックス１Ａのくぼみ１Ａ２における左右壁との間に上方から着脱自在に嵌着されている。
【００１５】
Ｃ．第１内方枠部３は、仮枠本体３Ａと、小口用仮枠部３Ｂから構成されている。
ａ．仮枠本体３Ａは、左右の仮枠単体３Ａ１、３Ａ１と、幅調整用ボルト部３Ａ２からなり、左の仮枠単体３Ａ１は、立上がり壁３Ａ１１と、立上がり壁の下端に左方に向け連設された水平面３Ａ１２と、左の仮枠単体３Ａ１の立上がり壁の頂面に植設された第１アイボルト３Ａ１３と、立上がり壁の左面に上下位置をもって植設された上下のアイボルト３Ａ１４、３Ａ１５から構成され、右の仮枠単体３Ａ１は、立上がり壁３Ａ１１と、立上がり壁の下端に右方に向け連設された水平面３Ａ１２と、右の仮枠単体３Ａ１の立上がり壁の頂面に植設された第１アイボルト３Ａ１３と、立上がり壁の右面に上下位置をもって植設された上下のアイボルト３Ａ１４、３Ａ１５から構成されている。
さらに、幅調整用ボルト部３Ａ２は、左右の仮枠単体３Ａ１、３Ａ１の上端近傍に左右方向をもって開設された適数個のボルト穴３Ａ２１、３Ａ２１．．と、これらボルト穴に貫入される幅調整ボルト３Ａ２２、３Ａ２２．．から構成されている。
図中、Ｎはナットである。
【００１６】
ｂ．小口用仮枠部３Ｂは、前後の小口第１仮枠３Ｂ１、３Ｂ１と、前後の締付け具３Ｂ２、３Ｂ２から構成されている。
前後の小口第１仮枠３Ｂ１、３Ｂ１は、内方枠設置ボックス１Ａ内に起立状態で配置された左右の仮枠単体３Ａ１、３Ａ１の前後端面に当接される縦板３Ｂ１１、３Ｂ１１で構成されている。
なお、この縦板３Ｂ１１の下辺には、内方枠設置ボックスのくぼみ１Ａ２に上方から嵌合する突出部Ｔが形成されている。
前後の締付け具３Ｂ２は、例えばターンバックルの構成により伸縮するよう構成され、前の締付け具３Ｂ２は、前の小口第１仮枠３Ｂ１と前の縦壁１Ｂとの間に配設され、後の締付け具３Ｂ２は、後の小口第１仮枠３Ｂ１と後の縦壁１Ｂとの間に配設されている。
【００１７】
イ１は第１発明の他の実施例の建築用のプレキャスト・コンクリート部材の製造用仮枠で、固定枠部１と、左右の幅調整用スぺーサ部２と、第２内方枠部４から構成されている。
Ａ．固定枠部１、左右の幅調整用スぺーサ部２の各構成は、第１発明の建築用のプレキャスト・コンクリート部材の製造用仮枠イにおける固定枠部１、左右の幅調整用スぺーサ部２の構成と同一である。
【００１８】
Ｂ．第２内方枠部４は、仮枠本体４Ａと、第２小口用仮枠部４Ｂから構成されている。
ａ．仮枠本体４Ａは、左右の仮枠単体４Ａ１、４Ａ１と、幅調整用ボルト部４Ａ２からなり、左の仮枠単体４Ａ１は、立上がり壁４Ａ１１と、立上がり壁の下端に左方に向け連設された水平面４Ａ１２と、左の仮枠単体４Ａ１の立上がり壁の頂面に植設された第１アイボルト４Ａ１３と、立上がり壁の左面に上下位置をもって植設された上下のアイボルト４Ａ１４、４Ａ１５から構成され、右の仮枠単体４Ａ１は、立上がり壁４Ａ１１と、立上がり壁の下端に右方に向け連設された水平面４Ａ１２と、右の仮枠単体４Ａ１の立上がり壁の頂面に植設された第１アイボルト４Ａ１３と、立上がり壁の右面に上下位置をもって植設された上下のアイボルト４Ａ１４、４Ａ１５から構成されている。
さらに、幅調整用ボルト部４Ａ２は、左右の仮枠単体４Ａ１、４Ａ１の上端近傍に左右方向をもって開設された適数個のボルト穴４Ａ２１、４Ａ２１．．と、これらボルト穴に貫入される幅調整ボルト４Ａ２２、４Ａ２２．．から構成されている。
図中、Ｎはナットである。
【００１９】
ｂ．第２小口用仮枠部４Ｂは、前後の小口第２仮枠４Ｂ１、４Ｂ１と、前後の締付け具４Ｂ２、４Ｂ２から構成されている。
前後の小口第２仮枠４Ｂ１、４Ｂ１は縦板状に構成され、内方枠設置ボックス１Ａ内に起立状態で配置された左右の仮枠単体４Ａ１、４Ａ１の前後端部分において、当該左右の仮枠単体４Ａ１、４Ａ１で挟まれた状態で前後方向に移動自在に構成されている。
前後の締付け具４Ｂ２は、例えばターンバックルの構成により伸縮するよう構成され、前の締付け具４Ｂ２は、前の小口第２仮枠４Ｂ１と前の縦壁１Ｂとの間に配設され、後の締付け具４Ｂ２は、後の小口第２仮枠４Ｂ１と後の縦壁１Ｂとの間に配設されている。
【００２０】
なお、下記のようにすることができる。
１．スぺーサ２Ａについて、寸法の異なるスぺーサを数種用意する。
このようにすることによって、図８、図２８の如く厚みＷの異なった製品を得ることができる。
２．図１２の如く、幅調整ボルト３Ａ２２と幅調整ボルト４Ａ２２における中心に開閉自在の蝶番様金具ＴＢを設けることができる。
このようにすることによって、図１０の如く、吊上げ時に蝶番様金具ＴＢが逆Ｖ字状に開くので吊上げ作業をより容易にすることができる。
【００２１】
第２発明について
ロは第２発明の建築用のプレキャスト・コンクリート部材の製造用仮枠で、固定枠部５と、フーチング幅調整用スぺーサ部６と、幅調整用スぺーサ部７と、第１内方枠部８から構成されている。
Ａ．固定枠部５は、内方枠設置ボックス５Ａと前後の縦壁５Ｂ、５Ｂから構成されている。
ａ．内方枠設置ボックス５Ａは、フーチング用ボックス５Ａ１と内方枠部受け５Ａ２から構成され、フーチング用ボックス５Ａ１は、コンクリート床５Ａ３上に所定深さをもって平面方形の平板状に刻設されたくぼみ５Ａ１１と、このくぼみの左右壁に上方に向け形成された傾斜面５Ａ１２と、くぼみの底面に敷設されたマット５Ａ１３から構成され、また、内方枠部受け５Ａ２は、フーチング用ボックスにおける傾斜面５Ａ１２に左右方向に連設された所定寸法の左右の水平面５Ａ２１と、この左右の水平面の先端に連設された上方に向けた傾斜面５Ａ２２から構成されている。
ｂ．前後の縦壁５Ｂ、５Ｂは正面方形に構成され、内方枠設置ボックス５Ａにおける前後辺に起立状態で固定されている。
【００２２】
Ｂ．フーチング幅調整用スぺーサ部６は、左右のスぺーサ６Ａ、６Ａで構成され、各スぺーサ６Ａは横角柱状に構成され、フーチング用ボックス５Ａ１内における左右の傾斜面５Ａ１２に沿って上方から着脱自在に嵌着されている。
この各スぺーサ６Ａの高さＨ１は、フーチング用ボックスの深さと同一に構成されている。
【００２３】
Ｃ．幅調整用スぺーサ部７は、適数個のスぺーサ７Ａ、７Ａ．．で構成され、各スぺーサ７Ａはくさび状に構成され、内方枠設置ボックス５Ａ内においてフーチング幅調整用スぺーサ部６の上面に起立状態で配設された左右の仮枠単体８Ａ１のフーチング形成用水平面８Ａ１２の外方端面と、内方枠部受け５Ａ２の傾斜面５Ａ２２との間に上方から着脱自在に嵌着されている。
【００２４】
Ｄ．第１内方枠部８は、仮枠本体８Ａと、小口用仮枠部８Ｂから構成されている。
ａ．仮枠本体８Ａは、左右の仮枠単体８Ａ１、８Ａ１と、幅調整用ボルト８Ａ２からなり、左の仮枠単体８Ａ１は、立上がり壁８Ａ１１と、立上がり壁の下端に左方に向け連設されたフーチング形成用水平面８Ａ１２と左の仮枠単体８Ａ１の立上がり壁の頂面に植設された第１アイボルト８Ａ１３と、立上がり壁の左面に上下位置をもって植設された上下のアイボルト８Ａ１４、８Ａ１５から構成され、右の仮枠単体８Ａ１は、立上がり壁８Ａ１１と、立上がり壁の下端に右方に向け連設されたフーチング形成用水平面８Ａ１２と、右の仮枠単体８Ａ１の立上がり壁の頂面に植設された第１アイボルト８Ａ１３と、立上がり壁の右面に上下位置をもって植設された上下のアイボルト８Ａ１４、８Ａ１５から構成されている。
さらに、幅調整用ボルト部８Ａ２は、左右の仮枠単体８Ａ１、８Ａ１の上端近傍に左右方向をもって開設された適数個のボルト穴８Ａ２１、８Ａ２１．．と、これらボルト穴に貫入される幅調整ボルト８Ａ２２、８Ａ２２．．から構成されている。
図中、Ｎはナットである。
【００２５】
ｂ．小口用仮枠部８Ｂは、前後の小口第１仮枠８Ｂ１、８Ｂ１と、前後の締付け具８Ｂ２、８Ｂ２から構成されている。
前後の小口第１仮枠８Ｂ１は、内方枠設置ボックス５Ａ内に起立状態で配置された左右の仮枠単体８Ａ１の前後端面に当接される縦板８Ｂ１１、８Ｂ１１で構成されている。
なお、この縦板８Ｂ１１の下辺には、内方枠設置ボックスのくぼみ５Ａ１１に上方から嵌合する突出部Ｔが形成されている。
前後の締付け具８Ｂ２は、例えばターンバックルの構成により伸縮するよう構成され、前の締付け具８Ｂ２は、前の小口第１仮枠８Ｂ１と前の縦壁５Ｂとの間に配設され、後の締付け具８Ｂ２は、後の小口第１仮枠８Ｂ１と後の縦壁５Ｂとの間に配設されている。
【００２６】
ロ１は第２発明の他の実施例の建築用のプレキャスト・コンクリート部材の製造用仮枠で、固定枠部５と、フーチング幅調整用スぺーサ部６と、幅調整用スぺーサ部７と、第２内方枠部９から構成されている。
Ａ．固定枠部５、フーチング幅調整用スぺーサ部６、幅調整用スぺーサ部７の構成は、第２発明の建築用のプレキャスト・コンクリート部材の製造用仮枠ロにおける固定枠部５、フーチング幅調整用スぺーサ部６、幅調整用スぺーサ部７の構成と同一である。
【００２７】
Ｂ．第２内方枠部９は、仮枠本体９Ａと、小口用仮枠部９Ｂから構成されている。
ａ．仮枠本体９Ａは、左右の仮枠単体９Ａ１、９Ａ１と、幅調整用ボルト部９Ａ２からなり、左の仮枠単体９Ａ１は、立上がり壁９Ａ１１と、立上がり壁の下端に左方に向け連設されたフーチング形成用水平面９Ａ１２と、左の仮枠単体９Ａ１の立上がり壁の頂面に植設された第１アイボルト９Ａ１３と、立上がり壁の左面に上下位置をもって植設された上下のアイボルト９Ａ１４、９Ａ１５から構成され、右の仮枠単体９Ａ１は、立上がり壁９Ａ１１と、立上がり壁の下端に右方に向け連設されたフーチング形成用水平面９Ａ１２と、右の仮枠単体９Ａ１の立上がり壁の頂面に植設された第１アイボルト９Ａ１３と、立上がり壁の右面に上下位置をもって植設された上下のアイボルト９Ａ１４、９Ａ１５から構成されている。
さらに、幅調整用ボルト部９Ａ２は、左右の仮枠単体９Ａ１、９Ａ１の上端近傍に左右方向をもって開設された適数個のボルト穴９Ａ２１、９Ａ２１．．と、これらボルト穴に貫入される幅調整ボルト９Ａ２２、９Ａ２２．．から構成されている。
図中、Ｎはナットである。
【００２８】
ｂ．小口用仮枠部９Ｂは、前後の小口第１仮枠９Ｂ１、９Ｂ１と、前後の締付け具９Ｂ２、９Ｂ２から構成されている。
小口第１仮枠９Ｂ１は、正面横長方形の下方板９Ｂ１１と下方板の上辺中央に起立連設された正面縦長の縦板９Ｂ１２から構成され、内方枠設置ボックス５Ａ内に起立状態で配置された左右の仮枠単体９Ａ１の前後端部分において当該左右の仮枠単体９Ａ１で挟まれた状態で前後方向に移動自在に構成されている。
前後の締付け具９Ｂ２は、例えばターンバックルの構成により伸縮するよう構成され、前の締付け具９Ｂ２は、前の小口第１仮枠９Ｂ１と前の縦壁５Ｂとの間に配設され、後の締付け具９Ｂ２は、後の小口第１仮枠９Ｂ１と後の縦壁５Ｂとの間に配設されている。
【００２９】
なお、下記のようにすることができる。
１．マット５Ａ１３について、当該マットを数種用意する。
このようにすることによって、図２５の如くフーチング部分の高さＨが低い製品を得ることができる。
２．フーチング幅調整用スぺーサ部６のスぺーサ６Ａについて、寸法の異なるスぺーサを数種用意する。また、幅調整用スぺーサ部７のスぺーサ７Ａについても、寸法の異なるスぺーサを数種用意する。
このようにすることによって、図２５、図２８の如く、寸法の異なった製品を得ることができる。
３．図２３の如く、幅調整ボルト８Ａ２２と幅調整ボルト９Ａ２２における中心に開閉自在の蝶番様金具ＴＢを設けることができる。
このようにすることによって、図２７の如く、吊上げ時に蝶番様金具ＴＢが逆Ｖ字状に開くので吊上げ作業をより容易にすることができる。
図２９を参照して、幅調整用ボルト部３Ａ２、４Ａ２、８Ａ２、９Ａ２におけるナットＮを調整することによって、左右の仮枠単体の間隔Ｄを調整できる。
【００３０】
第３発明は、第１発明の建築用のプレキャスト・コンクリート部材の製造用仮枠イを用いた施工方法で、その工程は下記の通りである。
第１工程
固定枠部１の内方枠設置ボックス１Ａに第１内方枠部３を起立状態で設置し、第１内方枠部３に幅調整用スぺーサ部２を装置したのち、第１内方枠部３を装置する。
第２工程
第１内方枠部３で囲まれた部分に鉄筋を組上げ、コンクリートを注入する。
第３工程
コンクリート注入後、養生期間を経て、幅調整用スぺーサ部２と小口用仮枠部３Ｂを取外す。
第４工程
第１内方枠部３を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの壁材、梁などの製品１０を引上げ、一般床上に置いた後、現場に搬入する。
【００３１】
第４発明は、第１発明の他の実施例の建築用のプレキャスト・コンクリート部材の製造用仮枠イ１を用いた施工方法で、その工程は下記の通りである。
第１工程
固定枠部１の内方枠設置ボックス１Ａに第２内方枠部４を起立状態で設置し、第２内方枠部４に幅調整用スぺーサ部２を装置したのち、第２内方枠部４を装置し、当該第２内方枠部における第２小口用仮枠部４Ｂを進退調整する。
第２工程
第２内方枠部４で囲まれた部分に鉄筋を組上げ、コンクリートを注入する。
第３工程
コンクリート注入後、養生期間を経て、幅調整用スぺーサ部２と第２小口用仮枠部４Ｂを取外す。
第４工程
第２内方枠部４を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの壁材、梁などの製品１０を引上げ、一般床上に置いた後、現場に搬入する。
【００３２】
第５発明は、第２発明の建築用のプレキャスト・コンクリート部材の製造用仮枠ロを用いた施工方法で、その工程は下記の通りである。
第１工程
固定枠部１の内方枠設置ボックス５Ａに第１内方枠部３を起立状態で設置し、第１内方枠部８に幅調整用スぺーサ部６を装置したのち、第１内方枠部８を装置する。
第２工程
第１内方枠部８で囲まれた部分に鉄筋を組上げ、コンクリートを注入する。
第３工程
コンクリート注入後、養生期間を経て、幅調整用スぺーサ部６と小口用仮枠部８Ｂを取外す。
第４工程
第１内方枠部８を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの基礎などの製品１１を引上げ、一般床上に置いた後、現場に搬入する。
【００３３】
第６発明について
第２発明の他の実施例の建築用のプレキャスト・コンクリート部材の製造用仮枠ロ１を用いた施工方法で、その工程は下記の通りである。
第１工程
固定枠部５の内方枠設置ボックス５Ａに第２内方枠部９を起立状態で設置し、第２内方枠部９に幅調整用スぺーサ部６を装置したのち、第２内方枠部９を装置し、当該第２内方枠部９における小口用仮枠部９Ｂを進退調整する。
第２工程
第２内方枠部９で囲まれた部分に鉄筋を組上げ、コンクリートを注入する。
第３工程
コンクリート注入後、養生期間を経て、幅調整用スぺーサ部６と小口用仮枠部９Ｂを取外す。
第４工程
第２内方枠部９を上下のアイボルトに連結したワイヤＹを外方に向け引っ張り、コンクリートの製品と引き離す。
こののち、第１アイボルトに連結したワイヤＹ１で吊上げ、他の場所に移す。
第５工程
コンクリートの基礎などの製品１１を引上げ、一般床上に置いた後、現場に搬入する。
【００３４】
【発明の効果】
本発明は、上述の通り構成されているので次に記載する効果を奏する。
１．各機材及び金具類が不要となり、製作までの時間も短く、場所も少なくて済み、大巾なコストダウンになる。
第１発明では梁、床板、壁、その他パラペット部材の製造が可能になる。
第２発明では基礎、その他パラペット部材の製造が可能になる。
２．仮枠本体はＬ字型のため自立し、当該仮枠本体も相当な重量となるためコンクリートを注入しても浮上がりはない。
３．コンクリート注入までの時間を１／５程度にすることができる。
４．脱型後のゴミ類が一切発生しない。
５．２回目のコンクリート注入までの時間を大幅に短縮できる。
６．このほか、安価に製造できる、部品点数が少ないので組立が容易である、経済的である、などの効果をも有するものである。
【図面の簡単な説明】
【図１】第１発明の１部を切欠いた斜視図である。
【図２】Ａ−Ａ線断面図である。
【図３】図１における長手方向における中央縦断面図である。
【図４】第１発明の他の実施例の１部を切欠いた斜視図である。
【図５】Ｂ−Ｂ線断面図である。
【図６】図４における長手方向における中央縦断面図である。
【図７】コンクリートが打設された状態の縦断面図である。
【図８】製品の寸法を調節した状態を示す縦断面図である。
【図９】脱型の状態を説明する縦断面図である。
【図１０】脱型の状態を説明する縦断面図である。
【図１１】幅調整用ボルト部の１部を切欠いた斜視図である。
【図１２】幅調整用ボルト部の他の実施例の１部を切欠いた斜視図である。
【図１３】コンクリートが打設された状態の縦断面図である。
【図１４】第２発明の１部を切欠いた斜視図である。
【図１５】同上の分解斜視図である。
【図１６】Ｃ−Ｃ線断面図である。
【図１７】図１４における長手方向における中央縦断面図である。
【図１８】第２発明の他の実施例の１部を切欠いた斜視図である。
【図１９】同上の分解斜視図である。
【図２０】Ｄ−Ｄ線断面図である。
【図２１】図１８における長手方向における中央縦断面図である。
【図２２】幅調整用ボルト部の１部を切欠いた斜視図である。
【図２３】幅調整用ボルト部の他の実施例の１部を切欠いた斜視図である。
【図２４】コンクリートが打設された状態の縦断面図である。
【図２５】製品の寸法を調節した状態を示す縦断面図である。
【図２６】脱型の状態を説明する縦断面図である。
【図２７】脱型の状態を説明する縦断面図である。
【図２８】フーチング幅調整用スぺーサ部の作用を説明する縦断面図である。
【図２９】幅調整用ボルト部の作用を説明する縦断面図である。
【符号の説明】
イ  第１発明の建築用のプレキャスト・コンクリート部材の製造用仮枠
１  固定枠部
２  幅調整用スぺーサ部
３  第１内方枠部
イ１  第１発明の他の実施例の建築用のプレキャスト・コンクリート部材の製造用仮枠
４  第２内方枠部
ロ  第２発明の建築用のプレキャスト・コンクリート部材の製造用仮枠
５  固定枠部
６  フーチング幅調整用スぺーサ部
７  幅調整用スぺーサ部
８  第１内方枠部
ロ１  第２発明の他の実施例の建築用のプレキャスト・コンクリート部材の製造用仮枠
９  第２内方枠部
【図１】
0003611812.tif 000002
【図２】
0003611812.tif 000003
【図３】
0003611812.tif 000004
【図４】
0003611812.tif 000005
【図５】
0003611812.tif 000006
【図６】
0003611812.tif 000007
【図７】
0003611812.tif 000008
【図８】
0003611812.tif 000009
【図９】
0003611812.tif 000010
【図１０】
0003611812.tif 000011
【図１１】
0003611812.tif 000012
【図１２】
0003611812.tif 000013
【図１３】
0003611812.tif 000014
【図１４】
0003611812.tif 000015
【図１５】
0003611812.tif 000016
【図１６】
0003611812.tif 000017
【図１７】
0003611812.tif 000018
【図１８】
0003611812.tif 000019
【図１９】
0003611812.tif 000020
【図２０】
0003611812.tif 000021
【図２１】
0003611812.tif 000022
【図２２】
0003611812.tif 000023
【図２３】
0003611812.tif 000024
【図２４】
0003611812.tif 000025
【図２５】
0003611812.tif 000026
【図２６】
0003611812.tif 000027
【図２７】
0003611812.tif 000028
【図２８】
0003611812.tif 000029
【図２９】
0003611812.tif 000030